(57)【要約】      （修正有）【課題】窓の防犯性を高める目的で、本来取り付けてあるクレセント（掛け金）が他人によって外されないために、鍵で開閉できるようにすると共に、ワンタッチで簡単に鍵操作ができるクレセントガードに関するもの。【解決手段】クレセント４のツマミ部５を拘束するロッキングプレート１と、このロッキングプレート１を回転することで開閉できるようにし、かつ回転軸３に鍵機能７を付加して、鍵を差し込まないとロッキングプレート１が開かないように構成したクレセントガード。【選択図】  図１
2004245010.tif 000002
【特許請求の範囲】
【請求項１】
ガラス窓等の「掛け金」（以下クレセントと言う）の「開閉ツマミ」を囲い込むように構成した「ロッキングプレート」と、この「ロッキングプレート」と回転接合された「固定座」とで構成し、この「固定座」を窓枠に固定して使用する「クレセントガード」。
【請求項２】
請求項１において、「回転接合部」に「鍵付き錠前機能」を付加し、この「回転接合部」に鍵を差して「ロッキングプレート」を「縦」と「横」に９０°回転できる構造とし、「ロッキングプレート」がそれぞれ、「縦」の時にはクレセントの「開閉ツマミ」が「開」、また「横」の時は「開閉ツマミ」が「閉」に切り替えることが出来るように構成した「クレセントガード」。
【請求項３】
請求項１、及び請求項２において、「固定座」の一部を窓枠とクレセントの間に挟み固定して使用する「クレセントガード」。
【発明の詳細な説明】
【０００１】
【発明の属する技術分野】
古くから窓用クレセントには、鍵の無い単なる掛け金式のものと、鍵を用いて開閉するものとがある。殆どの住宅等では、前者が使用されており、防犯上の弱点とされている。
この発明は、窓の「ガラス破り−掛け金外し−侵入」に対する防犯上、特に鍵の無いクレセントの「ツマミ」部をガードする目的で使用し、鍵で開・閉可能な「鍵付き錠前機能」を付加した「クレセントガード」に関するものである。
【０００２】
【従来の技術】
従来、この種の「クレセントガード」は、「固定座」をガイドにして
上部から「ロッキングプレート」をクレセントの「ツマミ」部に差し込み固定する方法、又はクレセント全体を上下より挟み込んで、「ツマミ」部をガードする方法などがある。
これらは、「クレセントガード」全体が大きくなり、かつ片手によるワンタッチ操作が簡単でない等の欠点があった。
【０００３】
【発明が解決しようとする課題】
本発明は、窓の「ガラス破り−掛け金外し−侵入」防止を目的とする「クレセントガード」として、合理的にその欠点を除いて、毎日の開け閉め操作が簡単、かつ小型で、取り付け容易な「クレセントガード」を提供するものである。
【０００４】
【課題を解決するための手段】
その解決手段を、図面に従って説明する。
（イ）「ロッキングプレート、１」と「固定座、２」とを「回転接合部、３」を介して組み合わせる。（図−１、図−２、図−３）
（ロ）「回転接合部、３」は「鍵付き錠前機能」を付加し、「鍵付の錠前、７」を構成する。（図−１、図−２、図−３）
（ハ）「鍵付の錠前、７」は鍵を差し込んだ時のみ回転し、「ロッキングプレート、１」が縦の位置で「開」、横の位置では「閉」となるように設定する。又、この「開」と「閉」の位置でのみ鍵が抜き差し出来るように構成する。（図−１、図−３）
（ニ）「固定座、２」は、「ロッキングプレート、１」が横の状態でクレセントの「ツマミ、５」を囲うような位置にして固定する。（図−１、図−３）
（ホ）又、「固定座」の取り付け部分を延長し、縦長に「切り込み部、８」を設ける。この「固定座、２’」を「クレセント、４」と「窓枠、９」との間に挟んで「ビス、６」で固定する。（図３、図−４）
【０００５】
【発明の実施の形態】
本発明は、「ガラス破り−掛け金外し−侵入」を防ぐために、クレセントに「クレセントガード」を取り付け、クレセントの「ツマミ」が外せないようにすることを目的としている。
即ち、この「クレセントガード」は「不法侵入」を防ぐ手段として、短時間でクレセントの「ツマミ」が外せないこと。及び窓の開け閉めは毎日の作業であるために、クレセントの施開錠が極めて簡単であることが望まれる。
【０００６】
なお、本発明の実施に当って、「固定座、２」の座板部分を延長して「固定座、２’」を構成し、これを窓枠とクレセントとの間に挟み「ビス、６」で固定することも出来る。（図−３、図−４）
【０００７】
【発明の効果】
従って、この「クレセントガード」は、鍵を差して９０度回すだけで、クレセント掛け金のガードが確実に出来る、防犯効果に優れ、しかも操作が極めて簡単な「クレセントガード」を提供するものである。
【図面の簡単な説明】
【図１】本発明の実施例の、正面図。
【図２】同上の、側面図。
【図３】本発明の他の実施例の、正面図。
【図４】同上の、部分図。
【図１】
2004245010.tif 000003
【図２】
2004245010.tif 000004
【図３】
2004245010.tif 000005
【図４】
2004245010.tif 000006
【手続補正書】
【提出日】平成15年4月9日(2003.4.9)
【手続補正１】
【補正対象書類名】明細書
【補正対象項目名】全文
【補正方法】変更
【補正の内容】
【特許請求の範囲】
【請求項１】ガラス窓等の「掛け金」（以下クレセントと言う）の「開閉ツマミ」を囲い込むように構成した「ロッキングプレート」と、この「ロッキングプレート」と回転接合された「固定座」とで構成し、この「固定座」を窓枠に固定して使用する「クレセントガード」。
【請求項２】請求項１において、「回転接合部」に「鍵付き錠前機能」を付加し、この「回転接合部」に鍵を差して「ロッキングプレート」を「縦」と「横」に９０°回転できる構造とし、「ロッキングプレート」がそれぞれ、「縦」の時にはクレセントの「開閉ツマミ」が「開」、また「横」の時は「開閉ツマミ」が「閉」に切り替えることが出来るように構成した「クレセントガード」。
【請求項３】請求項１、及び請求項２において、「固定座」の一部を窓枠とクレセントの間に挟み固定して使用する「クレセントガード」。
【請求項４】請求項２において、「回転接合部」の「鍵付き錠前機能」は前面と後面の両方から「同一鍵」を差し込んで開閉できるように構成した「クレセントガード」。
【請求項５】請求項４において、鍵の刻み形状と配列を、片面は手元から「Ａ−Ｂ−Ｃ−Ｄ」とし、他の片面は逆に「Ｄ−Ｃ−Ｂ−Ａ」とすることにより、前面と後面の両方向から一本の「同一鍵」で開け閉めが出来るようにした「鍵付き錠前機能」を有する「クレセントガード」。
【発明の詳細な説明】
【０００１】
【発明の属する技術分野】
古くから窓用クレセントには、鍵の無い単なる掛け金式のものと、鍵を用いて開閉するものとがある。殆どの住宅等では、前者が使用されており、防犯上の弱点とされている。
この発明は、窓の「ガラス破り−掛け金外し−侵入」に対する防犯上、特に鍵の無いクレセントの「ツマミ」部をガードする目的で使用し、鍵で開・閉可能な「鍵付き錠前機能」を付加した「クレセントガード」に関するものである。
【０００２】
【従来の技術】
従来、この種の「クレセントガード」は、「固定座」をガイドにして上部から「ロッキングプレート」をクレセントの「ツマミ」部に差し込み固定する方法、又はクレセント全体を上下より挟み込んで、「ツマミ」部をガードする方法などがある。
これらは、「クレセントガード」全体が大きくなり、かつ片手によるワンタッチ操作が簡単でない等の欠点があった。
【０００３】
【発明が解決しようとする課題】
本発明は、窓の「ガラス破り−掛け金外し−侵入」防止を目的とする「クレセントガード」として、合理的にその欠点を除いて、毎日の開け閉め操作が簡単、かつ小型で、取り付け容易な「クレセントガード」を提供するものである。
【０００４】
【課題を解決するための手段】
その解決手段を、図面に従って説明する。
（イ）  「ロッキングプレート  １」と「固定座  ２」とを「回転接合部
（イ）  「ロッキングプレート  １」と「固定座  ２」とを「回転接合部３」を介して組み合わせる。（図−１、図−２、図−３）
（ロ）  「回転接合部  ３」に「鍵付き錠前機能」を付加し、「鍵付の錠前７」を構成する。（図−１、図−２、図−３）
（ハ）  「鍵付の錠前  ７」は鍵を差し込んだ時のみ回転し、「ロッキングプレート  １」が縦の位置で「開」、横の位置では「閉」となるように設定する。又、この「開」と「閉」の位置でのみ鍵が抜き差し出来るように構成する。（図−１、図−３）
（ニ）  「固定座  ２」は、「ロッキングプレート  １」が横の状態でクレセントの「ツマミ  ５」を囲うような位置にして固定する。（図−１、図−３）
（ホ）又、「固定座」の取り付け部分を延長し、縦長に「切り込み部  ８」を設ける。この「固定座  ２’」を「クレセント  ４」と「窓枠  ９」との間に挟んで「ビス  ６」で固定する。（図−３、図−４）
（ヘ）窓のクレセントは左側と右側とでその取り付け方向が逆になる。このために「鍵付の錠前  ７」は、その前面と後面の両方より鍵が差し込めるように構成するとともに、鍵の両端面の刻みの配列を図の如く逆の配置とすることにより、取り付け条件の如何に拘わらず、一本の「同一鍵」で開け閉めが可能となる。（図−５、図−６、図−７）
【０００５】
【発明の実施の形態】
本発明は、「ガラス破り−掛け金外し−侵入」を防ぐために、クレセントに「クレセントガード」を取り付け、クレセントの「ツマミ」が外せないようにすることを目的としている。
即ち、この「クレセントガード」は「不法侵入」を防ぐ手段として、短時間でクレセントの「ツマミ」が外せないこと。及び窓の開け閉めは毎日の作業であるために、クレセントの施開錠が極めて簡単であることが望まれる。
【０００６】
なお、本発明の実施に当って、「固定座  ２」の座板部分を延長して「固定座  ２’」を構成し、これを窓枠とクレセントとの間に挟み「ビス  ６」で固定することも出来る。（図−３、図−４）
【０００７】
【発明の効果】
従って、この「クレセントガード」は、鍵を差して９０度回すだけで、クレセント掛け金のガードが確実に出来る、防犯効果に優れ、しかも操作が極めて簡単な「クレセントガード」である。
また従来のクレセントは、窓の左側と右側とで対称形の二種類のクレセントが必要であったが、本発明の「鍵付き錠前  ７」は、前面と後面の両方から鍵を差し込み開閉できるようにしたことにより、窓が左右勝手違いにも拘わらず同一の「クレセントガード」が使用できる。
【図面の簡単な説明】
【図−１】本発明の実施例の、正面図。
【図−２】同上の、側面図。
【図−３】本発明の他の実施例の、正面図。
【図−４】同上の、部分図。
【図−５】本発明の「鍵付き錠前７」に使用する「鍵  １１」の正面図で、「鍵付き錠前７」の前面側から差し込む場合の「鍵  １１」の向きを示す説明図。
【図−６】本発明の「鍵付き錠前７」の鍵穴の配置を示す説明図。
【図−７】本発明の「鍵付き錠前７」の後面側から差し込む場合の「鍵  １１」の向きを示す説明図。


【手続補正２】
【補正対象書類名】図面
【補正対象項目名】全図
【補正方法】変更
【補正の内容】
【図−１】
2004245010.tif 000007
【図−２】
2004245010.tif 000008
【図−３】
2004245010.tif 000009
【図−４】
2004245010.tif 000010
【図−５】
2004245010.tif 000011
【図−６】
2004245010.tif 000012
【図−７】
2004245010.tif 000013